(57)【要約】【課題】金属製の筒状胴部と樹脂製の下部内槽とを有する内槽を備えた洗濯乾燥機において、乾燥工程にて内槽で発生する静電気の帯電を防止する。【解決手段】内槽４は、複数個の穴を設けた金属製の筒状胴部８と、筒状胴部８の下方に取り付けた樹脂製の下部内槽９とを有し、下部内槽９に、モータ１１からの回転力を伝達する洗濯・脱水軸５を結合する金属製の結合部材１０を筒状胴部８の近傍に達するようにインサート成形して設け、結合部材１０と筒状胴部８とを導電可能状態に締結し、結合部材１０はモータ１１を取り付けた支持部材１２と導電可能状態で結合し、支持部材１２と筐体１とを機内アース線１３により導通させるように構成したことで、乾燥工程にて内槽４で発生する静電気の帯電を防止することができる。【選択図】図１
2013244024.tif 000002
【特許請求の範囲】
【請求項１】
筐体内に弾性的に吊支した外槽と、前記外槽内に回転自在に支持されて洗濯物を収容する内槽と、前記内槽を駆動するモータと、前記内槽内に乾燥用の温風を供給する温風供給装置と、前記モータ、前記温風供給装置などの動作を制御し、洗い、すすぎ、脱水、乾燥の各工程を制御する制御装置とを備え、前記内槽は、複数個の穴を設けた金属製の筒状胴部と、前記筒状胴部の下方に取り付けた樹脂製の下部内槽とを有し、前記下部内槽に、前記モータからの回転力を伝達する洗濯・脱水軸を結合する金属製の結合部材を前記筒状胴部の近傍に達するようにインサート成形して設け、前記結合部材と前記筒状胴部とを導電可能状態に締結し、前記結合部材は前記モータを取り付けた支持部材と導電可能状態で結合し、前記支持部材と前記筐体とを機内アース線により導通させるように構成した洗濯乾燥機。
【発明の詳細な説明】
【技術分野】
【０００１】
本発明は、金属製の筒状胴部と樹脂製の下部内槽とを有する内槽を備えた洗濯乾燥機に関するものである。
【背景技術】
【０００２】
従来、この種の洗濯乾燥機は図３に示す断面図のように構成していた。以下、その構成について説明する。
【０００３】
図３において、筐体１は、内部に複数のサスペンション２によって弾性的に吊り下げた外槽３を設け、脱水時の振動をサスペンション２によって吸収する構成としている。外槽３の内部には、衣類等の洗濯物および乾燥対象物を収容する内槽４を、中空で２重構造とした洗濯・脱水軸５を中心に回転可能に配設している。また、内槽４の内底部に洗濯物や乾燥対象物を撹拌する回転翼のパルセータ６を回転自在に配設している。内槽４は、上方に流体バランサー７を設け、複数個の穴を設けたステンレス鋼板などの金属板で形成した筒状胴部８と、この筒状胴部８の下方に取り付けた有底の樹脂で形成した下部内槽９とを有し、下部内槽９の内底部にパルセータ６を配設する凹部を設けている。バランサー７は筒状胴部８の上部周縁に固着している。
【０００４】
下部内槽９の底面裏側に洗濯・脱水軸５を取り付けるための結合部材１０を取り付け、この結合部材１０は導電性がある金属製で、洗濯・脱水軸５を通じて駆動手段であるモータ１１を取り付けた外槽底部の支持部材１２と導電可能状態で結合されており、支持部材１２に機内アース線１３の一端を接続し、機内アース線１３の他端を筐体１に接続し、筐体１に機外アース線１４を設けている。モータ１１は、外槽３の底部に設けた支持部材１２に取り付け、洗濯・脱水軸５によって内槽４の結合部材１０またはパルセータ６に切り替え可能に連結している。筐体カバー１５は筐体１の上部を覆うもので、制御装置１６を設けている。制御装置１６は、モータ１１、温風供給装置１７などの動作を制御し、洗い、すすぎ、脱水、乾燥の各工程を制御するように構成している。
【０００５】
外槽３の上面は外槽カバー１８により覆い、外槽カバー１８の略中心部に開閉自在の中蓋１９を設けている。吐出口２０は外槽カバー１８に設け、温風供給装置１７により供給される温風を吐出する。この吐出口２０と温風供給装置１７に連結した温風循環経路２１ａの端部とを伸縮自在の上部蛇腹ホース２２で連結している。外槽３の下部に温風、洗濯水、除湿水の排出口２３を設け、この排出口２３と温風循環経路２１とを連結し、温風循環経路２１の下部に排水弁２４を介して排水口２５を設けている。温風供給装置１７による温風は、上部蛇腹ホース２２、吐出口２０、内槽４内部、内槽４の周辺の小穴（図示せず）、外槽３の下部に設けた排出口２３、温風循環経路２１を通り、再び、温風供給装置１７へと循環する通路を循環する。
【０００６】
上記構成において動作を説明する。洗い工程とすすぎ工程では、排水弁２４を閉じた状態で、内槽４に衣類と洗剤を投入し、水または湯を給水し、モータ１１の動力を洗濯・脱水軸５を介してパルセータ６に伝達し、パルセータ６が回転することで、衣類が水中で撹拌されて洗い工程では洗いが、すすぎ工程ではすすぎが実行される。
【０００７】
脱水工程では、洗い工程またはすすぎ工程を終了し、内槽４内の水を排水弁２４を開いて排水した後、モータ１１の動力を洗濯・脱水軸５を介して内槽４に伝達するように切り替えて内槽４を回転させ、衣類に遠心力を与えることにより、水分を衣類から分離し、排水弁２４を通過して排水口２５より外部へ排水する。
【０００８】
乾燥工程では、まず、排水弁２４を閉じた上、パルセータ６をゆっくり正逆に回転させることにより、脱水時の遠心力により内槽４の内壁に張り付いた衣類を引き剥がした後、パルセータ６を瞬間的に正逆の方向に強力に回転させて、衣類を内槽４内で上方に放り上げるようにして撹拌したり、内槽４を回転させたりする。
【０００９】
同時に、温風供給装置１７により、加熱した温風を、上部蛇腹ホース２２、吐出口２０を経由して、内槽４の内部へ送り込む。この温風は、内槽４内にて衣類を暖めてその水分をとり、外槽３および温風循環経路２１を通過する際に、外部から冷却されるので水分は結露して除湿されて、間欠的に開く排水弁２４を通して排水口２５から排水され、室内を湿らせることなく乾燥が進む。その後、温風は再び温風供給装置１７に戻り、この乾燥手順が繰り返される。
【００１０】
このようにして乾燥工程を行う洗濯乾燥機では、衣類が内槽４の内壁やパルセータ６と擦れ合うが、乾燥してくるに従って発生した静電気が内槽４の筒状胴部８に溜まってくる。下部内槽９の底面裏側に設けられた結合部材１０は、支持部材１２、機内アース線１３を通して筐体１に接続され、筐体１に接続した機外アース線１４をアースすることにより、結合部材１０をアースすることができるが、筒状胴部８は結合部材１０との間に樹脂で形成した下部内槽９が介在しており、アースされない状態となる。
【００１１】
そこで、従来の洗濯乾燥機では、結合部材１０はモータ１１を取り付けた外槽底部の支持部材１２と導電可能状態で結合し、支持部材１２と筐体１とを機内アース線１３により導通させるとともに、結合部材１０と筒状胴部８との間に導電部材２６を設けて電気的に導通させている。これにより、内槽４で発生する静電気は、洗濯・脱水軸５を通じて機内アース線１３を通り、機外アース線１４に静電気を逃がすことができ、乾燥工程にて長時間運転しつづけても静電気の発生による帯電を防止することができる（例えば、特許文献１参照）。
【００１２】
特許文献２においては、筒状胴部と洗濯・脱水軸との間に静電気の放電路を設け、この放電路に筒状胴部と洗濯・脱水軸との間を電気的に絶縁するギャップ（間隙）を形成することにより、洗濯物を乾燥した時に発生する静電気はギャップ部での放電によって除去され、またこのギャップによって洗濯槽における金属製の筒状胴部と電気部品であるモータ側とは電気的に絶縁されるようにしたものである。
【先行技術文献】
【特許文献】
【００１３】
【特許文献１】特開２００２−１５９７９２号公報
【特許文献２】特開２００５−３３４５１５号公報
【発明の概要】
【発明が解決しようとする課題】
【００１４】
このような従来の洗濯乾燥機の構造では、省スペースと大容量の両方を満足することが困難である。そこで、下部内槽に結合部材をインサート成形する構造とすることが考えられる。しかしながら、結合部材を下部内槽にインサート成形すると、内槽の筒状胴部と結合部材を金属接続し筒状胴部に溜まる静電気を機外アース線に逃がす構成をとることが困難になる。
【００１５】
本発明は、上記従来の課題を解決するもので、下部内槽に結合部材をインサート成形した内槽を備え、内槽で発生する静電気を機外に逃がすことができ、乾燥工程にて長時間運転しつづけても静電気の発生による帯電を防止することができる洗濯乾燥機を提供するこ
とを目的とする。
【課題を解決するための手段】
【００１６】
本発明は上記目的を達成するために、筐体内に弾性的に吊支した外槽と、前記外槽内に回転自在に支持されて洗濯物を収容する内槽と、前記内槽を駆動するモータと、前記内槽内に乾燥用の温風を供給する温風供給装置と、前記モータ、前記温風供給装置などの動作を制御し、洗い、すすぎ、脱水、乾燥の各工程を制御する制御装置とを備え、前記内槽は、複数個の穴を設けた金属製の筒状胴部と、前記筒状胴部の下方に取り付けた樹脂製の下部内槽とを有し、前記下部内槽に、前記モータからの回転力を伝達する洗濯・脱水軸を結合する金属製の結合部材を前記筒状胴部の近傍に達するようにインサート成形して設け、前記結合部材と前記筒状胴部とを導電可能状態に締結し、前記結合部材は前記モータを取り付けた支持部材と導電可能状態で結合し、前記支持部材と前記筐体とを機内アース線により導通させるように構成したものである。
【００１７】
これにより、内槽で発生する静電気を筐体に逃がすことができ、筐体が機外アース線でアースされていれば静電気を機外に逃がすことができ、乾燥工程にて長時間運転しつづけても静電気の発生による帯電を防止することができる。
【発明の効果】
【００１８】
本発明の洗濯機は、省スペースかつ大容量であり、内槽の筒状胴部に静電気が溜まらず、乾燥工程にて長時間運転しつづけても静電気の発生による帯電を防止することができる洗濯乾燥機を実現することができる。
【図面の簡単な説明】
【００１９】
【図１】本発明の実施の形態１における洗濯乾燥機の側面断面図
【図２】同洗濯乾燥機の要部側面断面図
【図３】従来の洗濯乾燥機の側面断面図
【発明を実施するための形態】
【００２０】
本発明の請求項１に記載の発明の洗濯乾燥機は、筐体内に弾性的に吊支した外槽と、前記外槽内に回転自在に支持されて洗濯物を収容する内槽と、前記内槽を駆動するモータと、前記内槽内に乾燥用の温風を供給する温風供給装置と、前記モータ、前記温風供給装置などの動作を制御し、洗い、すすぎ、脱水、乾燥の各工程を制御する制御装置とを備え、前記内槽は、複数個の穴を設けた金属製の筒状胴部と、前記筒状胴部の下方に取り付けた樹脂製の下部内槽とを有し、前記下部内槽に、前記モータからの回転力を伝達する洗濯・脱水軸を結合する金属製の結合部材を前記筒状胴部の近傍に達するようにインサート成形して設け、前記結合部材と前記筒状胴部とを導電可能状態に締結し、前記結合部材は前記モータを取り付けた支持部材と導電可能状態で結合し、前記支持部材と前記筐体とを機内アース線により導通させるように構成したものである。
【００２１】
これにより、内槽で発生する静電気を筐体に逃がすことができ、筐体が機外アース線でアースされていれば静電気を機外に逃がすことができ、乾燥工程にて長時間運転しつづけても静電気の発生による帯電を防止することができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における洗濯乾燥機の側面断面図、図２は、同洗濯乾燥機の要部側面断面図である。なお、背景技術で説明した従来例と同じ構成のものは同一符
号を付して説明を省略する。
【００２４】
図１および図２において、従来例と同様に、筐体１は内部に複数のサスペンション２によって弾性的に吊り下げた外槽３を設け、外槽３の内部には、洗濯物および乾燥対象物を収容する内槽４を、中空で２重構造とした洗濯・脱水軸５を中心に回転可能に配設している。また、内槽４の内底部に洗濯物や乾燥対象物を撹拌するパルセータ６を回転自在に配設している。内槽４は、複数個の穴を設けたステンレス鋼板などの金属板で形成した筒状胴部８と、この筒状胴部８の下方に取り付けた有底の樹脂で形成した下部内槽９とを有している。
【００２５】
モータ１１は、外槽３の底部に設けた支持部材１２に取り付け、洗濯・脱水軸５によって内槽４の結合部材１０またはパルセータ６に連結している。結合部材１０は導電性がある金属製で、洗濯・脱水軸５を通じて駆動手段であるモータ１１を取り付けた外槽底部の支持部材１２と導電可能状態で結合されており、支持部材１２に機内アース線１３の一端を接続し、機内アース線１３の他端を筐体１に接続し、筐体１に機外アース線１４を設けている。機外アース線１４は洗濯乾燥機の設置工事において施工される。
【００２６】
また、洗濯物の乾燥を行うために、内槽４内に乾燥用の温風を供給する温風供給装置１７を備えている。
【００２７】
従来例との違いは、洗濯・脱水軸５と結合するための、下部内槽９に設けた結合部材１０である。本実施の形態１において、結合部材１０は樹脂製の下部内槽９にインサート成形され、下部内槽９の内部に一体に構成されている。結合部材１０の一部は筒状胴部８の近傍まで構成されており、筒状胴部８と下部内槽９との結合において、結合部材１０と筒状胴部８とは電気的に結合される。
【００２８】
結合部材１０と筒状胴部８との電気的な結合は、それぞれが直接接触することにより達成されるが、結合部材１０が樹脂に覆われて直接接触できない構成では、導電性があるビスやリベットなどの締結部材２７で双方を結合することにより達成される。
【００２９】
このようにして、筒状胴部８、結合部材１０、洗濯・脱水軸５、モータ１１、支持部材１２、機内アース線１３、筐体１および機外アース線１４の順に電気的な導通が構成される。
【００３０】
以上のように構成した洗濯乾燥機は、脱水工程の終了後、内槽４に押し固められた衣類に対してパルセータ６の回転により発生する遠心力を与えることにより、押し上げられた衣類はパルセータ６の回転が減速する時にはその底面部に落下する。この衣類に作用する上下方向の力のために、衣類は筒状胴部８を擦れる運動を行い、筒状胴部８には静電気が発生する。しかしながら、筒状胴部８から筐体１まで電気的な導通が構成され、筐体１から機外アース線１４が施工されていることにより、筒状胴部８で発生した静電気は機外に放電される。
【００３１】
以上のように構成した洗濯乾燥機は、内槽で発生する静電気を機外に逃がすことができ、乾燥工程にて長時間運転しつづけても静電気の発生による帯電を防止することができる。
【産業上の利用可能性】
【００３２】
以上のように、本発明にかかる洗濯乾燥機は、樹脂の底面である下部内槽に回転力を伝達するための金属である結合部材をインサートした洗濯乾燥機においても内槽で発生する静電気を金属壁面である筒状胴部に溜めることなく機外に逃がすことが可能となるので、
省スペースかつ大容量な洗濯機の構成等として有用である。
【符号の説明】
【００３３】
１  筐体
３  外槽
４  内槽
５  洗濯・脱水軸
６  パルセータ
８  筒状胴部
９  下部内槽
１０  結合部材
１１  モータ
１２  支持部材
１３  機内アース線
１４  機外アース線
１６  制御装置
１７  温風供給装置
２７  締結部材
【図１】
2013244024.tif 000003
【図２】
2013244024.tif 000004
【図３】
2013244024.tif 000005